(57)【要約】  本開示の弾性ストリップは、弾性基材と、上を覆う支持体と、を含む。弾性ストリップは、弾性基材の制御された伸張を可能にする。弾性ストリップは、伸張して皮膚に適用された後、接着された皮膚の一部を引っ張ることができる。したがって、弾性ストリップは、例えば、創傷閉鎖又は鼻拡張器として使用され得る。
2014509880.tif 000002
【特許請求の範囲】
【請求項１】
支持体中央部によって相互に分離される第１の支持体終端部と第２の支持体終端部とを有する支持体と、
接着剤を含む第１の面と、前記支持体に隣接する第２の面とを備える弾性基材と、を含む弾性ストリップであって、前記弾性基材が、基材中央部によって相互に分離される第１の基材終端部と第２の基材終端部とを有し、
前記第１の支持体終端部が前記第１の基材終端部で固定し、前記第２の支持体終端部が前記第２の基材終端部で固定し、前記支持体中央部が前記基材中央部から分離している、弾性ストリップ。
【請求項２】
前記第１の支持体終端部、第２の支持体終端部、及び支持体中央部が、非弾性材の連続シートを備える、請求項１に記載の弾性ストリップ。
【請求項３】
前記支持体が、前記弾性基材の最大伸張を設定する、請求項２に記載の弾性ストリップ。
【請求項４】
前記第１の支持体終端部が、前記第２の支持体終端部から分離している、請求項１に記載の弾性ストリップ。
【請求項５】
前記第１の支持体終端部が、前記中央部に第１の内側部分を備え、前記第２の支持体終端部が第２の内側部分を備え、前記第１の内側部分と第２の内側部分とが互いに重なり合う、請求項４に記載の弾性ストリップ。
【請求項６】
前記第１の支持体部分の前記第１の内側部分と、前記第２の支持体部分の前記第２の内側部分との間の重なりが、前記弾性基材の伸張に対する制御を提供する、請求項５に記載の弾性ストリップ。
【請求項７】
前記支持体が、前記フィルムを越えて延びてタブを形成する、請求項１に記載の弾性ストリップ。
【請求項８】
前記支持体が、前記基材から取り外し可能である、請求項１に記載の弾性ストリップ。
【請求項９】
前記弾性基材が、弾性の不織布、織布、編み織物、又はフィルムである、請求項１に記載の弾性ストリップ。
【請求項１０】
前記弾性基材が、透過性の薄フィルムである、請求項１に記載の弾性ストリップ。
【請求項１１】
前記接着剤が、前記弾性基材の前記第１の面全体を覆う、請求項１に記載の弾性ストリップ。
【請求項１２】
前記弾性基材の前記第１の面上の前記接着剤が、前記第１の基材終端部及び第２の基材終端部の位置にあり、前記基材中央部が接着剤を有さない、請求項１に記載の弾性ストリップ。
【請求項１３】
前記接着剤を覆う剥離ライナーを更に備え、前記剥離ライナーが、前記接着剤から取り外し可能である、請求項１に記載の弾性ストリップ。
【請求項１４】
前記接着剤が皮膚に固定される、請求項１に記載の弾性ストリップ。
【請求項１５】
前記接着剤が感圧接着剤である、請求項１に記載の弾性ストリップ。
【請求項１６】
前記接着剤が、アクリレート系接着剤又はシリコーン系接着剤である、請求項１に記載の弾性ストリップ。
【請求項１７】
前記第１の基材終端部が、鼻の第１の側の皮膚に接着し、前記第２の基材終端部が、前記鼻の第２の側の皮膚に接着し、それにより、前記基材中央部は鼻梁にまたがる、請求項１に記載の弾性ストリップ。
【請求項１８】
前記第１の基材終端部が、創傷の第１の側の皮膚に接着し、前記第２の基材終端部が、該創傷の第２の側の皮膚に接着し、それにより、前記基材中央部は前記創傷にまたがる、請求項１に記載の弾性ストリップ。
【請求項１９】
ストリップを取り付ける方法であって、
請求項１に記載の弾性ストリップを提供する工程と、
前記第１の基材終端部を第１の方向に引っ張る工程と、
前記第２の基材終端部を前記第１の方向と反対側の第２の方向に引っ張る工程と、
前記第１の面を表面に接着する工程と、を含み、
前記弾性基材が収縮する、ストリップを取り付ける方法。
【請求項２０】
前記支持体を前記弾性基材から取り外す工程を更に含む、請求項１９に記載の方法。
【発明の詳細な説明】
【技術分野】
【０００１】
本開示は弾性ストリップに関する。特に、本開示は、弾性ストリップの全体の伸張を制御するための支持体を有する弾性ストリップに関する。
【背景技術】
【０００２】
皮膚の一部を持ち上げる又は皮膚片を１つにまとめるために、さまざまな種類のデバイスが皮膚上で使用される。例えば、鼻拡張器は鼻梁に適用される。鼻拡張器は、典型的には、機械ばねと、皮膚に接着するバネの末端部の接着剤アイランドとを含む。接着剤が皮膚に貼着されると、機械バネが皮膚を外側に持ち上げる。機械バネは鼻拡張器全体に重量及び厚さを加える。更にバネ領域は、バネの下の皮膚の水分が鼻拡張器を通過して、皮膚の浸軟の事例が増加するのを防止する。
【０００３】
標準的な創傷閉鎖は、創傷の周囲の皮膚が伸張して開くのを防止するために創傷の上に適用される接着テープのストリップである。しかしながら、標準的な創傷閉鎖は弾性的でない場合が多く、したがって皮膚が伸張して開くのを防止することができても、創傷を閉じた状態で固定するための張力を受けて留置されることはできない。
【発明の概要】
【課題を解決するための手段】
【０００４】
本開示の弾性ストリップは、弾性基材と、上を覆う支持体と、を含む。弾性ストリップは、弾性基材の制御された伸張を可能にする。弾性ストリップは、伸張して皮膚に適用された後、接着された皮膚の一部を引っ張ることができる。したがって、弾性ストリップは、例えば、創傷閉鎖又は鼻拡張器として使用され得る。
【０００５】
一実施形態において、弾性ストリップは、支持体と弾性基材とを含む。支持体は、支持体中央部によって相互に分離される第１の支持体終端部と第２の支持体終端部とを有する。弾性基材は、接着剤を備える第１の面と、支持体に隣接する第２の面とを含む。弾性基材は、基材中央部によって相互に分離される第１の基材終端部と第２の基材終端部とを有する。第１の支持体終端部は第１の基材終端部で固定する。第２の支持体終端部は第２の基材終端部で固定する。支持体中央部は基材中央部から分離している。
【０００６】
一実施形態において、第１の支持体終端部、第２の支持体終端部、及び支持体中央部は、非弾性材の連続シートを含む。一実施形態において、支持体は、弾性基材の最大伸張を設定する。一実施形態において、第１の支持体終端部は、第２の支持体終端部から分離している。一実施形態において、第１の支持体終端部は、中央部に第１の内側部分を含み、第２の支持体終端部は、第２の内側部分を含み、第１の内側部分と第２の内側部分とが互いに重なり合う。一実施形態において、第１の支持体部分の第１の内側部分と、第２の支持体部分の第２の内側部分との間の重なりは、弾性基材の伸張に対する制御を提供する。一実施形態において、支持体は、フィルムを越えて延びてタブを形成する。一実施形態において、支持体は、基材から取り外し可能である。一実施形態において、弾性基材は、弾性の不織布、織布、編み織物、又はフィルムである。一実施形態において、弾性基材は透過性の薄フィルムである。一実施形態において、接着剤は、弾性基材の第１の面全体を覆う。一実施形態において、弾性基材の第１の面上の接着剤は、第１の基材終端部及び第２の基材終端部の位置にあり、基材中央部は接着剤を有さない。一実施形態において、剥離ライナーは接着剤を覆い、剥離ライナーは接着剤から取り外し可能である。一実施形態において、接着剤は皮膚に固定される。
【０００７】
一実施形態において、第１の基材終端部は、鼻の第１の側の皮膚に接着し、第２の基材終端部は、鼻の第２の側の皮膚に接着し、それにより、基材中央部は鼻梁にまたがる。
【０００８】
一実施形態において、第１の基材終端部は、創傷の第１の側の皮膚に接着し、第２の基材終端部は、創傷の第２の側の皮膚に接着し、それにより、基材中央部は創傷にまたがる。
【０００９】
一実施形態において、ストリップを取り付ける方法は、弾性ストリップを提供する工程と、第１の基材終端部を第１の方向に引っ張る工程と、第２の基材終端部を第１の方向と反対側の第２の方向に引っ張る工程と、第１の面を表面に接着する工程と、を含み、弾性基材は収縮する。一実施形態において、該方法は、支持体を弾性基材から取り外す工程を、更に含む。
【図面の簡単な説明】
【００１０】
【図１】弾性ストリップの実施形態の側面図。
【図２】伸張した状態の図１の弾性ストリップの実施形態の側面図。
【図３】図２の弾性ストリップの底面図。
【図４】弾性ストリップの実施形態の側面図。
【図５】伸張した状態の図４の弾性ストリップの側面図。
【図６】図５の弾性ストリップの底面図。
【図７】鼻に適用された弾性ストリップの実施形態の平面図。
【図８】創傷の上に適用された弾性ストリップの実施形態の斜視図。
【図９】弾性ストリップの実施形態の斜視図。
【００１１】
上記の図面は、本発明の実施形態を表しているが、説明において述べるように、他の実施形態も企図される。いずれのケースでも、本開示は、限定する目的ではなく、説明する目的で本発明を提示している。本発明の範囲及び趣旨の中で、多くの他の修正及び実施形態が、当業者によって考案され得ることを理解されたい。
【００１２】
図は、縮尺どおりに描かれていない場合もある。
【発明を実施するための形態】
【００１３】
図１は、弾性ストリップ１０の実施形態の側面図である。図２は、伸張した状態の図１の弾性ストリップ１０の側面図である。図３は、図２の弾性ストリップ１０の底面図である。
【００１４】
弾性ストリップ１０は、支持体２０と弾性基材３０とを有する。図１〜図３に示される実施形態では、支持体２０は連続ストリップであり、支持体中央部２６によって相互に分離される、第１の支持体終端部２２と、第２の支持体終端部２４とを含む。
【００１５】
弾性基材３０は、第１の面３１と第２の面３２とを有する。支持体２０は第２の面３２にある。この実施形態では、弾性基材３０は連続ストリップであり、基材中央部３６によって相互に分離される第１の基材終端部３３と第２の基材終端部３４とを含む。
【００１６】
支持体２０は弾性基材３０に付着する。一実施形態において、支持体２０は弾性基材３０に取り外し可能に取り付けられる。第１の支持体終端部２２は第１の基材終端部３３と接合する。第２の支持体終端部２４は第２の基材終端部３４と接合する。支持体中央部３６と基材中央部３６とは互いに接合されない。
【００１７】
弾性基材３０は、伸張及び収縮することができる。図１は、弾性基材３０が完全に収縮した状態の弾性ストリップ１０を示す。図２及び図３は、完全に伸張した状態の弾性ストリップ１０を示す。支持体２０は弾性基材３０に固定されているが、支持体中央部２６及び基材中央部３６は互いに固定されていないので、弾性基材３０は支持体２０に対して移動可能である。したがって、第１の基材終端部３３が一方向に引っ張られ、第２の基材終端部３４が反対方向に引っ張られると、弾性基材３０は伸張することができる。
【００１８】
弾性基材３０に固定された連続基材である支持体２０が、弾性基材３０の最大伸張量を可能にする。この実施形態では、最大伸張は、支持体２０の全体の長さによって制限される。図２及び図３は、最大伸張時の弾性ストリップ１０を示す。
【００１９】
図３は、弾性基材３０が支持体２０に接合した領域を示す。この実施形態では、接着剤アイランド４２、４４全体が、支持体２０が弾性基材に固定された領域を示す。図１〜図３に示される実施形態では、弾性ストリップ１０は伸張されているが、固定される領域は伸張されておらず、したがって張力を受けていない。したがって、張力を加えずに又は接着剤を皮膚に取り付けた点を引っ張らずに、接着剤アイランドを皮膚などの表面上に設置することができる。その代りに、接着剤アイランド４２、４４は表面に固定され、基材中央部３６が収縮することにより引っ張られる。
【００２０】
一実施形態において、支持体２０は弾性基材３０から取り外し可能である。取り外しを支援するために、支持体２０は弾性基材３０を越えて延び、第１のタブ２３及び第２のタブ２３を形成する。いくつかの実施形態では、支持体２０は弾性基材に取り付けられたままであってもよいことが理解されよう。
【００２１】
この実施形態では、弾性ストリップ１０の第１の面３１は、第１の基材終端部３３に第１の接着剤アイランド４２を有し、かつ第２の基材終端部３４に第２の接着剤アイランド４４を有する。この実施形態では、基材中央部３６は、弾性基材の第１の面３１に接着剤を有さない。
【００２２】
この実施形態では、図１に示されるように、第１の剥離ライナー５２が第１の接着剤アイランド４２の上に提供され、第２の剥離ライナー５４が第２の接着剤アイランド４４の上に提供される。剥離ライナーを接着剤から簡単に除去することができるようにタブが形成されるように、剥離ライナー５２、５４は、典型的には、第１又は第２の接着剤アイランド４２、４４の表面を越えて延びる。剥離ライナー５２、５４は接着剤アイランド４２、４４から取り外し可能である。図２及び図３は、接着剤４２、４４を露出するために剥離ライナー５２、５４が除去されている弾性ストリップ１０を示している。
【００２３】
図４は、弾性ストリップ１０の別の実施形態の側面図である。図５は、伸張した状態の図４の弾性ストリップ１０の側面図である。図６は、図５の弾性ストリップ１０の底面図である。
【００２４】
図４〜図６に示される弾性ストリップ１０は、図１〜図３に示される弾性ストリップ１０と同様の支持体２０と弾性基材３０とを含む。しかしながら、図４〜図６に示される実施形態では、弾性基材３０の第１の面３１は、接着剤４０で完全にコーティングされている。図４〜図６の実施形態は、支持体２０が弾性基材３０に固定された同様の領域を含む。この固定された領域は伸張しないので、張力を受けない。支持体２０が弾性基材３０に固定された領域は、さまざまな寸法を有し得ることが理解されよう。
【００２５】
この実施形態では、図４に示されるように、単一剥離ライナー５０が接着剤４０全体の上に提供される。接着剤４０から剥離ライナー５０を簡単に除去できるように、剥離ライナー５０は接着剤４０の表面を越えて延びる。剥離ライナー５０は接着剤４０から取り外し可能である。図５及び図６は、剥離ライナー５０が除去されている弾性ストリップ１０を示す。
【００２６】
支持体２０は、さまざまな材料で構成され得る。支持体２０は、織布、編み織物、不織布、紙、又はフィルムであってもよい。一実施形態において、支持体２０は、弾性基材３０を形成する材料よりも伸張しない材料で構成される。一実施形態において、支持体２０は非弾性的であり、伸張することができない。一実施形態において、使用する支持体材料は、適用中に弾性基材にしわが寄るのを防止するため、弾性基材よりも実質的に剛性である。支持体材料としては、ポリエチレン／ビニルアセテートコポリマーでコーティングされた紙及びポリエステルフィルムを挙げることができるが、これらに限定されない。
【００２７】
弾性基材３０は、伸張及び収縮することができるさまざまな材料で構成され得る。弾性材料は、さまざまな異なる伸張量を有し得る。弾性材料は、全伸張距離の少なくとも５０％収縮しなければならない。別の実施形態では、弾性材料は、全伸張距離の少なくとも７５％収縮する。別の実施形態では、弾性材料は、全伸張距離の少なくとも９５％収縮する。
【００２８】
弾性基材３０は、織布、編み織物、不織布、又はフィルムであり得る。弾性ストリップ１０が皮膚又は創傷の上に適用される用途では、弾性基材３０と接着剤との組み合わせは、高透湿性を有することができる。好適な材料の一例は、米国特許第３，６４５，８３５号及び同第４，５９５，００１号に記載されているような高透湿性フィルムであり、当該特許の開示は参照により本明細書に組み込まれる。その開示が参照により本明細書に組み込まれる、発行された米国特許第３，６４５，８３５号及び同第４，５９５，００１号は、かかるフィルムの製造方法、及びそれらの透過性の試験方法を記載している。好ましくは、フィルム／接着剤複合体は、人間の皮膚以上の速度（例えば、米国特許第４，５９５，００１号に記載されている倒置カップ法を用いて、少なくとも３００ｇ／ｍ２／２４時間／３７℃／１００−１０％  ＲＨ、若しくは少なくとも７００ｇ／ｍ２／２４時間／３７℃／１００−１０％  ＲＨ、又は少なくとも２０００ｇ／ｍ２／２４時間／３７℃／１００−１０％  ＲＨの速さなど）で水蒸気を透過しなければならない。好ましい基材又はフィルムを使用して、水蒸気透過を増大させることができる。
【００２９】
弾性基材は、解剖学的表面と形状適合性があるのが好ましい。そのため、弾性基材は、解剖学的表面に適用されると、たとえ表面が動かされた場合でも該表面に順応し、かつ伸張及び収縮することができる。一実施形態において、弾性基材は、エラストマーポリウレタン、ポリエステル、又はポリエーテルブロックアミドフィルムである。これらのフィルムは、弾力性、高い水蒸気透過性、及び透明性の望ましい性質を組み合わせる。
【００３０】
接着剤は、典型的には感圧接着剤であり、特に、その開示が参照により本明細書に組み込まれる米国再発行特許第２４，９０６号に記載されているアクリレートコポリマー、特に９７：３のイソオクチルアクリレート：アクリルアミドコポリマーなどの、皮膚に塗布することが可能な接着剤である。別の接着剤は、参照によりその開示が参照により本明細書に組み込まれる米国特許第４，７３７，４１０号（実施例３１）に記載されているような７０：１５：１５のイソオクチルアクリレート−エチレンオキシドアクリレート：アクリル酸ターポリマーである。他の有用な接着剤は、その開示が参照により本明細書に組み込まれる米国特許第３，３８９，８２７号、同第４，１１２，２１３号、同第４，３１０，５０９号、及び同第４，３２３，５５７号に記載されている。米国特許第４，３１０，５０９号、及び同４，３２３，５５７号（共に参照により本明細書に組み込まれる）に記載されるように、接着剤中に薬剤又は抗菌剤を含めることもまた想到される。
【００３１】
シリコーン系接着剤を使用することも可能である。一般に、シリコーン系接着剤は、皮膚への好適な接着をもたらすと同時に、皮膚からやさしく取り除くことができる。好適なシリコーン系接着剤は、ＰＣＴ国際公開特許ＷＯ２０１０／０５６５４１及び同ＷＯ２０１０／０５６５４３に開示されており、該特許文献の開示は参照により本明細書に組み込まれる。
【００３２】
一実施形態において、接着剤は、人間の皮膚と同じかそれ以上の速度で水蒸気を透過させることができる。そのような特徴は、適切な接着剤を選択することで達成することができる一方、米国特許第４，５９５，００１号及び米国特許出願第２００８−０２３３３４８号に記載されるように、裏材上に接着剤を模様塗りするなど、高い相対速度の水蒸気透過を達成する他の方法を用いることができることも、本発明で意図される。
【００３３】
本発明の接着剤複合体に使用するのに適した剥離ライナーは、クラフト紙、ポリエチレン、ポリプロピレン、ポリエステル、又はこれらの材料のいずれかの複合体で作製することができる。一実施形態において、ライナーは、フルオロケミカル又はシリコーンなどの剥離剤でコーティングされる。例えば、その開示が参照により本明細書に組み込まれる米国特許第４，４７２，４８０号は、低表面エネルギーぺルフルオロ化合物ライナーを記載する。一実施形態において、ライナーは、シリコーン剥離材でコーティングされた紙、ポリオレフィンフィルム、又はポリエステルフィルムである。シリコーンでコーティングされた市販の剥離紙の例は、Ｗａｕｓａｕ  Ｐａｐｅｒ  Ｓｐｅｃｉａｌｔｙ  Ｐｒｏｄｕｃｔｓ（Ｒｈｉｎｅｌａｎｄｅｒ，ＷＩ）及びＭｏｎｄｉ  Ｐａｃｋａｇｉｎｇ（Ｌａｎｃａｓｔｅｒ，ＯＨ）によって供給される。好適な剥離ライナーの１つは、Ｗａｕｓａｕ  Ｐａｐｅｒ  Ｓｐｅｃｉａｌｔｙ  Ｐｒｏｄｕｃｔｓから入手可能な、６０＃／３０００平方フィート（２７８．７ｍ２）のＳＣ  ＲＬＳＥ  Ｄ１１  ４４２−６００１漂白クラフト剥離紙である。
【００３４】
弾性ストリップを作製するために、支持体２０を弾性基材３０に、熱及び／又は圧力により、追加の接着剤層を有して又は有さずに積層し、第１の支持体終端部２２を第１の基材終端部３３に固定し、第２の支持体終端部２４を第２の基材終端部３４に固定する。一実施形態において、支持体２０は弾性基材３０にヒートシール可能である。接着剤は、既知のコーティング技術により、弾性基材３０の第１の面３１に塗布され得る。
【００３５】
弾性ストリップ１０を使用するためには、任意の剥離材が接着剤から取り外される。次に、第１の支持体終端部２２を第２の支持体終端部２４から引っ張り、図２、図３、図５、及び図６に示されるように弾性基材３０を伸張する。伸張した弾性ストリップ１０を表面に適用する。ユーザーは、伸張するために加えていた力を取り除き、弾性ストリップ１０は収縮する。任意に、弾性ストリップが適用された時点で、支持体２０を弾性ストリップ１０から除去することができる。
【００３６】
図７は、鼻拡張器として使用するために鼻６０に適用された、図１〜図３に示される実施形態で説明された弾性ストリップ１０の実施形態の平面図である。弾性ストリップ１０は、伸張した状態で鼻６０に適用される。次いで、伸張するために加えていた力を取り除き、弾性ストリップ１０は収縮する。収縮する間、弾性ストリップ１０は鼻６０の皮膚に引張力を提供して鼻拡張器として機能する。この実施形態では、支持体２０は除去されている。
【００３７】
図８は、創傷７０の上に適用された弾性ストリップ１０の実施形態の斜視図である。弾性ストリップ１０は、第１の基材終端部３３が創傷７０の片側にあり、第２の基材終端部３４が創傷７０の反対側にくるように、伸張した状態で創傷７０の上に適用される。次に、伸張するために加えていた力を取り除き、弾性ストリップ１０は収縮する。収縮する間、弾性ストリップ１０は皮膚に引張力を提供し、創傷７０を閉じた状態に保持する。この実施形態で示されるように、創傷液が通過できるように、弾性基材３０の基材中央部３６に開口部３８を含むのが望ましくあり得る。これら開口部３８は、異なる弾性材料の閉鎖力又は引張力を調整するために用いられることもできる。上を覆う吸収性包帯が創傷７０に適用されてもよいことが理解されよう。更に、この実施形態では、上を覆う支持体２０は除去されている。
【００３８】
図９は、弾性ストリップ１０の実施形態の斜視図である。弾性ストリップ１０は、図１〜図６に記載の方法で互いに接合された支持体２０及び弾性基材３０を有するという点に関しては、図１〜図６に示される弾性ストリップ１０と同様である。上述のように、弾性基材３０は伸張及び収縮することができる。支持体２０は弾性基材３０に固定されるが、支持体中央部２６及び基材中央部３６は相互に固定されない。したがって、弾性基材３０は支持体２０に対して移動可能であり、第１の基材終端部３３が一方向に引っ張られ、第２の基材終端部３４が反対方向に引っ張られると、弾性基材３０は伸張することができる。この実施形態では、接着剤は、図１〜図３に示される実施形態と同様の第１の接着剤アイランド４２及び第２の接着剤アイランド４４を含む。しかしながら、図９に示される実施形態では、支持体２０は不連続ストリップであり、第１の支持体終端部２２は、支持体中央部２６において第２の支持体終端部２４から分離している。
【００３９】
第１の支持体終端部２２の支持体中央部２６側は、第１の内側部分２７を有する。第２の支持体終端部２４の支持体中央部２６側は、第２の内側部分２８を有する。第１の内側部分２７及び第２の内側部分２８は、図９に示されるように、弾性ストリップ１０が収縮すると互いに接近し、弾性ストリップ１０が伸張位置にあるときに互いに離れる、噛み合い部分又は重なり部分を含む。したがって、ユーザーは、視覚的識別により、弾性ストリップ１０の伸張レベルを制御することができる。第１及び第２の内側部分２７、２８は、特定用途にとって適切な所定の伸張レベルを示すためのしるしを含むことができる。この実施形態の場合、さまざまな伸張レベルを制御することができることが理解されよう。さまざまな構成及び用途で、図９に示される支持体２０を利用することができることが理解されよう。上記で示され、かつ記載された材料を、図９に示されるこの実施形態で示されかつ記載される実施形態で使用できることが理解されよう。
【００４０】
弾性ストリップは特定用途に適した任意の寸法及び形状であり得ること、及び弾性ストリップは長方形に限定されないことが理解されよう。更に、用途によっては数個の弾性ストリップを一緒に使用することができる。
【００４１】
本発明の具体的な実施形態を本明細書中に示し及び説明してきたが、これら実施形態は多くの考えられる具体的な構成を単に例示しているにすぎず、構成は本発明の原理を適用して考案され得ることは理解されよう。これらの原理に従って、当業者は、本発明の趣旨及び範囲から逸脱することなく、多数のさまざまな他の構成を考案することができる。したがって本発明の範囲は、本願に記載の構造に限定されるべきものではなく、特許請求の範囲の文言により述べられる構造及びそうした構造の均等物によってのみ限定されるものである。
【図１】
2014509880.tif 000003
【図２】
2014509880.tif 000004
【図３】
2014509880.tif 000005
【図４】
2014509880.tif 000006
【図５】
2014509880.tif 000007
【図６】
2014509880.tif 000008
【図７】
2014509880.tif 000009
【図８】
2014509880.tif 000010
【図９】
2014509880.tif 000011
【国際調査報告】
2014509880.tif 000012
2014509880.tif 000013